(57)【特許請求の範囲】
【請求項１】
正六面体からなる複数のキューブと、
箱型バットと、
高さ調整台と、
額縁枠と、
からなるモザイク画であって、
前記複数のキューブは、６面が着色されるかまたは削り、彫り若しくは溝の表面加工がされており、
前記箱型バットは、一側面に絵または写真を出し入れするための溝穴が設けられ、該箱型バットの内部には、前記高さ調整台が配置されるとともに、該高さ調整台の上面には前記複数のキューブが配置され、
前記高さ調整台は、前記複数のキューブの上面が前記箱型バットの上面より高くなる厚さを有するクッション材と、該クッション材の上面に配置される不透明板と、該不透明板の上面に、隙間調整棒を介して配置される透明板とを有し、
前記隙間調整棒により調整された前記不透明板と前記透明板の隙間には、前記溝穴と同じ幅を有すると共に、
該溝穴は、前記絵または写真を該溝穴から前記隙間に挿入するとともに、前記不透明板上に配置することができるように構成され、
前記額縁枠は、前記複数のキューブを押す透明な表面窓と一体に構成されるとともに、前記高さ調整台及び該複数のキューブが配置された前記箱型バットに被せられ、該箱型バットに固定されている
ことを特徴とするモザイク画
【請求項２】
請求項１に記載されたモザイク画を作成するモザイク画セットであって、
前期複数のキューブと、
前記箱型バットと、
前記高さ調整台と、
前記額縁枠
とからなるモザイク画セット
【発明の詳細な説明】
【技術分野】
【０００１】本発明は、モザイク画作製の新画材としてキューブ（正六面体）とモザイク画作製箱に関するものである。
【背景技術】
【０００２】一般にモザイク画の作製は、台板や台紙（壁・板・箱・紙・布など）の面上に画素材としての色付き小片（卵の殻・色紙・布・陶器・写真・新聞など）を貼り付けて作製し、額に入れるなどして飾る。この過程で、貼り付ける小片が小さく色数が多いほど精細でグラデーションの効いた作品ができる。このことに関連する背景技術には、知的玩具のルービックキューブ（特許文献１）（特許文献２）、モザイク画やその知的ゲーム（特許文献３）（特許文献４）（特許文献５）（特許文献６）（非特許文献１）、ジグソーパズル（非特許文献２）（非特許文献３）及び額（特許文献７）がある。
【先行技術文献】
【特許文献】
【０００３】
【特許文献１】特開２００６−０２０８９９
【特許文献２】特開２０１１−１１５５３３
【特許文献３】特開２００９−２７１９００
【特許文献４】特開平９−１８７５４８
【特許文献５】特開平９−６６１７４
【特許文献６】特開２００６−３１５３８４
【特許文献７】特開２００３−０５４１９７
【非特許文献】
【０００４】
【非特許文献１】実用新案公開平７−５１５７
【非特許文献２】登録実用新案第３００３１８１号
【非特許文献３】登録実用新案第３００００９９号
【発明の概要】
【発明が解決しようとする課題】
【０００５】  従来のモザイク画の作製においては、台板や台紙の素材及び作品の大きさにより、画素材としての色付き小片の大きさをどの程度にするか、どのような材料とし、どのように入手するか、小片の多数の準備にも手間がかかった。また作り上げた作品は、貼り付けてあるため手直しが難しく、貼り付けた画素材の小片を剥がして再利用しにくいなどの問題があり、画素材の利用は一度きりで、基本的に画素材を剥がしての再使用はあまりしない。さらに、モザイク画となった作品を壁掛けで鑑賞するためには、画素材小片に厚みがある場合、厚みをクリアーするだけの幅広の額縁の入手も困難であった。
そこで、本発明の目的は、モザイク画を作るうえでの画素材としての色付き小片を大きさごとに入手しやすくし、専用のモザイク画作製箱に作り、色付き小片は何度でも再利用でき、さらに出来上がった作品はすぐに鑑賞できるように、モザイク画作製箱でありながら観賞用額縁になることを考慮して、これらの問題点を解決するためになされたものである。
【課題を解決するための手段】
【０００６】前記課題を解決するために本発明のキューブ（正六面体）によるモザイク画作製法を以下に示す。
モザイク画を作る画素材としての色付き小片は、正６面体のキューブ（図１・２・３・４）（１）で、６面が着色されるか、線や模様または削り彫り若しくは溝の表面加工がされている。このキューブ複数を平面上に並べるための箱を、キューブモザイク画作製バット（箱型バット）（図５）（２）とする。箱型バットは、一側面に下絵または写真を出し入れするための溝穴（３）が設けられ、内部にキューブ高さ調整台（図６）（４）を配置し、高さ調整台の上面（５）にモザイク画を描く複数のキューブを並べられる。
高さ調整台は、キューブを並べた際にキューブの上面が前記箱型バットの上面より高くなる厚さを有するクッション材（９）と、そのクッション材の上面に配置される不透明板（６）の上面に、隙間調整棒（７）を配置しその上に透明板（５）を配置し、隙間調整棒により調整された不透明板と透明板との隙間を作る。この隙間の幅は溝穴と同じ幅を有している。
モザイク画を作る際の下絵や写真は、箱型バットの溝穴から高さ調整台の隙間に挿入し、不透明板上に配置される。下絵や写真が小さい場合は、クッション材の上面に配置される不透明板と同色で、中央に写真の大きさに切り抜いた厚紙（図１２）（１７）をキューブ並べ面におき、その切抜き部にキューブを並べてモザイク画（図１２）を作る。ただし、下絵や写真が小さすぎる場合はできない。
モザイク画が仕上がったら額縁枠を被せて完成となるが、額縁枠（図８）は、透明な表面窓（１３）と一体に構成され、高さ調整台及び複数のキューブが配置された箱型バットに被せられ、並べられたキューブを押して安定させ、マジックテープ付きベルト（１４）で箱型バットに固定される。
額縁付きモザイク画として完成したら、額縁枠裏の吊下げ金具（１６）に紐を通し、壁にかけることが出来る。
【発明の効果】
【０００７】新画材のキューブは、各面異なる色や削り・彫り・溝などの表面加工を施すことで、モザイク画の仕上がり時に、絵具の厚みに見える立体感が得られ、かつ版画調の仕上がりにもなる。キューブ六面の色は、光の三原色及び絵具やインクの三原色からなる赤・青・緑・黄に白・黒を追加した着色を基本色系統とし、基本色の中間色や同一色系統濃淡色もできる。また顔料を変えることで、油絵・水彩画・日本画風に仕上がり、同一色系統の濃淡では水墨画やセピア色写真風にもなる。更に斜線や市松などの線種や模様を入れデザイン画風にもなる。キューブの大きさは、指またはピンセットで摘まむことが可能な微小（一辺の長さ１ｍｍ）から大（２０ｍｍ）サイズとし、モザイク画の仕上がりの大きさに応じて細密さやグラデーションを保てるようにする。材質は、木（植物由来物質）やプラスチック（合成樹脂）とし、削りや彫り若しくは溝などの表面加工をしやすくする。
キューブモザイク画作製箱（以下箱型バット）は、内部に並べるキューブの高さを調整する台（以下高さ調製台）を入れ、モザイク画を作成する。高さ調整台は、キューブを並べる透明板の下に下絵や写真を入れる隙間（空間）を作り、その下絵を見ながらキューブを並べモザイク画に再現できる。また高さ調整台には、箱型バットの底に当たる部分にクッション材を貼り付けてあり、このクッションの圧縮効果により使用する最小キューブの数倍の大きさでも使用可能になる。キューブを並べ終えた箱型バットには、蓋代わりに被せる額縁枠を設け、額縁枠でキューブと高さ調整台を押すことで、モザイク画表面が箱型バットの高さ面まで沈み、モザイク画が安定した状態で完成する。この状態のままベルトで固定し、壁に掛け楽しめる。
箱型バットに入れる高さ調製台の隙間には、カレンダー写真の切取りや、家族や個人の思い出が詰まった下絵や写真を入れ、上からカラーキューブを並べてモザイク画に再現した後、下絵や写真を取り出し可能にすることで、元の下絵や写真も失うことはない。また、下絵や写真が小さい場合は、クッション材の上面に配置される不透明板と同色で中央に写真の大きさに切抜いた厚紙（図１２）（１７）をキューブ並べ面に置き、その切抜き部にキューブを並べてモザイク画（図１２）ができる。ただし、下絵や写真が小さすぎる場合はできない。
キューブは、異なる色系統も使用でき、また数を増やし箱型バットと額縁枠を大型に変えれば拡大モザイク画もでき、汎用性が広い。
キューブ利用によるモザイク画は、キューブを糊付けしないため、箱型バットと共に何度でも再使用できる。
【図面の簡単な説明】
【０００８】
【図１】本発明のモザイク画用カラーキューブ（基本色系統）斜視図
【図２】本発明のモザイク画用カラーキューブ（同一色系統濃淡）斜視図
【図３】本発明のモザイク画用キューブ（線種・模様デザイン系統）斜視図
【図４】本発明のモザイク画用キューブ（削り・彫り・溝の面加工系統）斜視
【図５】本発明のキューブモザイク画作製バット（箱型バット）斜視図
【図６】本発明のキューブ高さ調整台（箱型バット内に入る）斜視・展開図
【図７】箱型バット＋高さ調整台の横側面（上）と縦側面（下：作業例図）
【図８】本発明のキューブモザイク画用額縁枠の縦表面および縦側面図
【図９】下絵を入れキューブ並べ中の箱型バットと額縁枠を台にする側面図
【図１０】完成モザイク画箱型バットのキューブ面に額縁枠を被せる側面図
【図１１】キューブモザイク画の完成イメージ図
【図１２】狭画用パネルとそれを使用したモザイク画完成イメージ図
【発明を実施するための形態】
【０００９】  以下、本発明の構成と実施の形態を説明する。
（イ）正６面体キューブ（１）は、６面を異なる色に着色したもの（図１）、同一色系統での濃淡（図２）、線種や模様を入り（図３）、削り・彫り・溝の表面加工を施したもの（図４）で、微小サイズから大サイズまである。
（ロ）箱型バット（２）は、方形の箱で一側面に下絵や写真の入れ出し口の溝穴（３）があり、箱内に高さ調整台（４）を設置して使用するものである。
（ハ）高さ調整台（４）は、方形の厚みを持つクッション材（９）の上にプラスチック不透明板（６）を張り合わせ、その不透明板上の三方の縁に隙間調整棒（７）を張り付け、さらに透明板（５）を上から張り合わせたもので、隙間調整棒で挟まれた不透明板と透明板の間には、下絵や写真を出し入れできる隙間（８）がある。この方形全体を箱型バットの溝穴（３）と隙間（８）が合う向きにして、箱型バットの中に設置し使用するものである。
（ニ）額縁枠（１２）は、高さ調整台（４）入りの箱型バット（２）の透明板（５）に複数のキューブ（１）を並べ終えた後、箱型バット（２）に被せ、キューブとクッション材を圧っし、モザイク画を安定させ、壁掛け額として使用するものである。
本発明は以上の構成よりなる。
本発明を使用する場合は、図５の「キューブモザイク画作製バット」（２）（以下箱型バット）に、図６のキューブ高さ調整台（４）（以下高さ調整台）を入れ、図７の箱型バット（２）＋高さ調整台（４）の：横側面：縦側面のようにし、キューブ並べ面（５）に図１〜図４のモザイク画用キューブ（１）（以下キューブまたはカラーキューブ）を並べる。
箱型バット内の高さ調整台は、あらかじめ使用する最小キューブ（１）の高さが箱型バット（２）上端より少し高くなるように、高さ調整用クッション材（スポンジ等）（９）の厚さで調整してある。
図７の箱型バット（２）＋高さ調整台（４）：縦側面の下部には、図８の額縁枠（１２）を台座として図９のように下向きにはめ、箱型バット（２）の安定とキューブ並べ面（５）を作業しやすい高さに保持する。
図９の高さ調整台（４）を入れた箱型バット（２）には、キューブ並べ面（アクリル透明板等）（５）にカラーキューブ（１）の希望する色を上面にして、モザイク画になるように並べる。
絵や写真を再現する場合は、図７・図９のように下絵や写真等（１１）にあらかじめ表面が剥がれない程度の粘着性を持つテープ等を、縁に挟むように長めに張り付け、高さ調製台入り箱型バット（２）の溝穴（３）から下絵・写真入れ隙間（８）に挿入する。
下絵や写真等は、図７・９のように溝穴（３）から抜き差ししやすいようにテープの端（１１）を出しておく。高さ調製台上面のキューブ並べ面透明板（５）から下絵を見て、色に合わせてキューブ（１）を並べる。
キューブを並べ終えたら、図１０のようにテープ付き下絵・写真等は箱型バット側壁面の溝穴（３）から引き抜くが、このとき下絵・写真の表面に傷はつかない。
キューブモザイク画完成後は、図９の作業台としての額縁枠（１２）を外し、図１０のように額縁枠（１２）を裏返しにして、完成モザイク画の入った箱型バット（２）に被せ、額縁画のようにする。このとき額縁枠窓の透明板（１３）は、並べたキューブ（１）を押し、不透明板（６）下のクッション材（９）を圧縮して沈め、相対的にモザイク画を構成するキューブに反発力が加わり、モザイク画は動かず安定する。
図１０のように完成後は、額縁枠（１２）と箱型バット（２）が外れないよう、図８の額縁枠側面のマジックテープ（１４）に、額縁枠押えベルト（両端にマジックテープ付きの布やゴム等）（１５）を巻いて固定する。最後に吊下げ紐通し金具（１６）に紐を通して壁面に飾る。
箱型バット（２）の大きさに対して小さい写真の場合は、同色の薄紙と厚紙を用意し、写真等を薄紙の中央に貼り、溝穴（３）から下絵・写真入れ隙間（空間）（８）に入れる。高さ調整台のキューブ並べ面（５）には、写真と同じ大きさの空域を切り抜いた厚紙（狭画用パネル）（１７）を敷き、その空域部の下に見える写真等の色に合わせて、最小カラーキューブを並べると、図１２の狭画用パネル使用モザイク画完成イメージのようになる。ただし、写真等が小さすぎる場合は適さない。
【実施例】
【００１０】モザイク画作製用カラーキューブによって作製されたモザイク画のイメージ図を［図１１］［図１２］に示す。
【産業上の利用可能性】
【００１１】モザイク画用キューブは、大きさ別・色別・種別に大量に作り、箱型バットや専用額縁枠も合わせて作るため、それらの関係メーカーの操業を推進する。販売面では、小売店・画材店・文房具店・雑貨店などやインターネット等での販売、施設への販売訪問など、流通も合わせて拡販が考えられる。
【符号の説明】
【００１２】  １  モザイク画用カラーキューブ（基本色系統：赤、青、緑、黄、白、黒）
１  モザイク画用カラーキューブ（同一色系統濃淡）
１  モザイク画用キューブ（線種・模様デザイン系統：太さや濃淡含む）
１  モザイク画用キューブ（削り・彫り・溝など表面加工系統）
２  キューブモザイク画作製バット（箱型バット）
３  下絵・写真の取出し口（溝穴）
４  キューブ高さ調整台（展開図）
５  キューブ並べ面（透明板：アクリル材等）
６  下絵・写真等置面（不透明版）
７  隙間調整棒
８  下絵・写真入れ隙間（空間）
９  高さ調整用クッション材（スポンジ等）
１０箱型バット深さ（並べる最小キューブに合わせた深さ）
１１下絵・写真・テープ等の端
１２額縁枠（縦表面・縦側面）
１３額縁枠窓透明板（アクリル材等）
１４マジックテープ
１５額縁枠・箱型バット押えベルト（布やゴム製マジックテープ付き）
１６吊下げ紐通し金具
１７狭画用パネル（厚紙等で裏面に切り抜き線入り）
【図１】
0005704498.tif 000002
【図２】
0005704498.tif 000003
【図３】
0005704498.tif 000004
【図４】
0005704498.tif 000005
【図５】
0005704498.tif 000006
【図６】
0005704498.tif 000007
【図７】
0005704498.tif 000008
【図８】
0005704498.tif 000009
【図９】
0005704498.tif 000010
【図１０】
0005704498.tif 000011
【図１１】
0005704498.tif 000012
【図１２】
0005704498.tif 000013